(57)【要約】【課題】円弧運動させることなく弾性部材の孔に係止部を挿入可能にして、固定用クリップを容易に弾性部材に取り付けることができるようにする。【解決手段】弾性部材７を取付孔１３が設けられた被取付部８に取り付けて固定するための固定用クリップ１１は、取付孔１３に挿入される軸部１４ａを有する本体部１４と、軸部１４ａの基端部から鍔状に広がった鍔部１５と、鍔部１５の頂面に設けられた、弾性部材７に係止される係止部１２とを備えている。係止部１２は、鍔部１５から本体部１４の軸方向と交差する方向に延び、弾性部材７の裏側に係合されて弾性部材７を鍔部１５と挟み込む第１延伸部１２ａと、該第１延伸部１２ａから折り返されて反対方向に延び、弾性部材７をその表面から貫通して第１延伸部１２ａを弾性部材７にまで導く第２延伸部１２ｂとを有する。【選択図】図４
2014095411.tif 000002
【特許請求の範囲】
【請求項１】
弾性部材を取付孔が設けられた被取付部に取り付けて固定するための固定用クリップであって、
前記取付孔に挿入される軸部を有する本体部と、
前記軸部の基端部から鍔状に広がった鍔部と、
前記鍔部の頂面に設けられた、前記弾性部材に係止される係止部とを備え、
前記係止部は、前記鍔部から前記本体部の軸方向と交差する方向に延び、前記弾性部材の裏側に係合されて前記弾性部材を前記鍔部と挟み込む第１延伸部と、該第１延伸部から折り返されて反対方向に延び、前記弾性部材をその表面から貫通して前記第１延伸部を前記弾性部材にまで導く第２延伸部とを有することを特徴とする固定用クリップ。
【請求項２】
前記係止部の先端部は、尖っていることを特徴とする請求項１に記載の固定用クリップ。
【請求項３】
前記係止部は、鋼線材からなることを特徴とする請求項１又は２に記載の固定用クリップ。
【請求項４】
前記弾性部材は、自動車の車体に取り付けられるウェザストリップであることを特徴とする請求項１〜３のいずれか１項に記載の固定用クリップ。
【発明の詳細な説明】
【技術分野】
【０００１】
本発明は、固定用クリップに関し、特に、弾性部材を取付孔が設けられた被取付部に取り付けて固定するために用いられる固定用クリップに関する。
【背景技術】
【０００２】
従来から、自動車の車体における開口部の周縁部、及び該開口部を開閉するドア及びエンジンフード等の開閉部材の周縁部には、ウェザストリップが取り付けられている。ウェザストリップは、通常、クリップを用いて上記の部位に取り付けられる。ウェザストリップ取り付け用のクリップは、例えば特許文献１及び特許文献２等に開示されている。
【０００３】
特許文献１のクリップは、水平方向に延びる板状の係止部と該係止部から鉛直方向に延びるように設けられた係合部とを備えたＴ字形状のクリップである。特許文献１のクリップを用いてウェザストリップをドアパネル等の周縁部（被取付部）に取り付けるためには、まず、係止部を予めウェザストリップに設けられた孔に挿入することにより、クリップをウェザストリップに取り付ける。その後、係合部を被取付部に設けられた取付孔に挿入することにより、ウェザストリップをドアパネル等の周縁部に取り付けることができる。
【０００４】
また、特許文献２には、先端が尖った挿入ピンを備え、予めウェザストリップに孔を開ける工程を必要としないクリップが開示されている。特許文献２のクリップでは、先端が尖った中空状の挿入ピンの内部に係止部を予め挿入しておき、挿入ピンの先端部をウェザストリップに突き刺した後に、クリップの係止部を挿入ピンの先端部から押し出すことにより、クリップをウェザストリップに取り付けている。これにより、予めウェザストリップに孔を開ける必要がなく、工程を簡略化することが可能となる。
【先行技術文献】
【特許文献】
【０００５】
【特許文献１】実開昭５９−２００１６号公報
【特許文献２】特許第４６８７７３８号公報
【発明の概要】
【発明が解決しようとする課題】
【０００６】
しかしながら、特許文献１及び特許文献２のクリップでは、ウェザストリップにクリップの係止部を取り付けるために、係止部の一部がウェザストリップの孔に挿入された後又は挿入ピンがウェザストリップに突き刺された後、係合部の延伸方向がウェザストリップの孔の開口面と垂直になるようにクリップを約９０°回動（円弧運動）させながら係止部を孔に通す必要がある。
【０００７】
具体的に特許文献１のクリップを例として説明すると、図６（ａ）に示すように、まず、係止部１０２の一部をウェザストリップ１０４の孔１０５に挿入する。その後、図６（ｂ）に示すように、係合部１０３がウェザストリップ１０４から離れる方向（図６（ｂ）の矢印方向）にクリップ１０１を回動させながら、係止部１０２を孔１０５に挿入する。そして、図６（ｃ）に示すように、係止部１０２の孔１０５への挿入を続けながら、係合部１０３の延伸方向が孔１０５の開口面と垂直になるまで回動（円弧運動）を続ける。その結果、係止部１０２の孔１０５への挿入が完了されて、クリップ１０１がウェザストリップ１０４に取り付けられる。また、特許文献２のクリップにおいても同様の円弧運動を必要とする。
【０００８】
すなわち、これらのクリップを用いる場合、小さな孔にクリップの係止部を上記の円弧運動により挿入するための装置が必要となり、そのような動作が必要な装置の構造は複雑となってしまう。
【０００９】
また、特許文献２のクリップでは、特許文献１のクリップとは異なり、事前の孔開け工程を必要としないものの、クリップ自体の他に追加の部材として挿入ピンが必要となる。さらに、クリップの係止部が挿入ピンから容易に離脱できないおそれもあり、生産性の悪化も考えられる。
【００１０】
本発明は、前記の問題に鑑みてなされたものであり、その目的は、円弧運動させることなくウェザストリップ等の弾性部材の孔に係止部を挿入可能にして、固定用クリップを容易に弾性部材に取り付けることができるようにすることにある。
【課題を解決するための手段】
【００１１】
前記の目的を達成するために、本発明は、弾性部材の孔に挿入される固定用クリップの係止部がヘアピン形状の部位を含むように構成した。
【００１２】
具体的に、本発明に係る固定用クリップは、弾性部材を取付孔が設けられた被取付部に取り付けて固定するためのものであって、取付孔に挿入される軸部を有する本体部と、軸部の基端部から鍔状に広がった鍔部と、鍔部の頂面に設けられた、弾性部材に係止される係止部とを備え、係止部は、鍔部から本体部の軸方向と交差する方向に延び、弾性部材の裏側に係合されて弾性部材を鍔部と挟み込む第１延伸部と、該第１延伸部から折り返されて反対方向に延び、弾性部材をその表面から貫通して第１延伸部を弾性部材にまで導く第２延伸部とを有する。
【００１３】
本発明に係る固定用クリップによると、係止部は、上記のように第１延伸部と折り返し部を挟んで第１延伸部と反対方向に延びる第２延伸部を有しており、すなわち、ヘアピン形状の部位を有する。このため、従来のクリップのように、弾性部材に係止部を挿入する際に約９０°の回動（円弧運動）を行う必要が無く、固定用クリップを弾性部材の表面に沿って往復運動させることにより、係止部を弾性部材に容易に挿入できて係止可能となる。その結果、係止部を弾性部材に挿入するための装置の構造を比較的簡素にできる。
【００１４】
また、本発明に係る固定用クリップにおいて、係止部の先端部は、尖っていることが好ましい。
【００１５】
このようにすると、係止部を直接に弾性部材に突き刺すことにより、弾性部材に対する孔開けと、その孔への係止部の挿入とを同時に行うことができ、事前の孔開け工程を不要とできる。さらに、孔開けのためにクリップ自体の他に特定の器具を用いる必要もなく、コストを低減することもできる。
【００１６】
本発明に係る固定用クリップにおいて、係止部の材料として、鋼線材を用いてもよい。このようにすると、係止部の成形が比較的に容易となり、また、その径を小さくすれば、係止部による弾性部材に対する孔開けが可能となり、先端部を尖らせなくとも上記と同様の効果を得ることができる。
【００１７】
本発明に係る固定用クリップにおいて、弾性部材は、ウェザストリップであってもよい。
【発明の効果】
【００１８】
本発明に係る固定用クリップによると、固定用クリップの係止部をウェザストリップ等の弾性部材の孔に挿入する際に、従来のようなクリップの円弧運動を必要としないため、容易に固定用クリップを弾性部材に取り付けることができる。その結果、係止部を弾性部材の孔に挿入するための装置の構造を比較的簡素にできるため、コストを低減することが可能となる。
【図面の簡単な説明】
【００１９】
【図１】本発明の一実施形態に係る固定用クリップを適用する自動車の一例を示す斜視図である。
【図２】図１のＡ−Ａ線における断面図である。
【図３】本発明の一実施形態に係る固定用クリップを示す正面図である。
【図４】本発明の一実施形態に係る固定用クリップを示す側面図である。
【図５】（ａ）〜（ｆ）は本発明の一実施形態に係る固定用クリップの係止部をウェザストリップの取付基部に係止させる方法を説明するための図である。
【図６】（ａ）〜（ｃ）は本発明の課題を説明するための図である。
【発明を実施するための形態】
【００２０】
以下、本発明を実施するための形態を図面に基づいて説明する。以下の好ましい実施形態の説明は、本質的に例示に過ぎず、本発明、その適用方法或いはその用途を制限することを意図するものでない。
【００２１】
図１に示す自動車において、１はエンジンルームを開閉するエンジンフード、２はラジエータグリル、３はバンパである。また、４はフロントドア、５はリヤドアを示している。フロントドア４及びリヤドア５により閉じられる車体６の開口部の周縁部には弾性部材であるウェザストリップが設けられている。同様に、エンジンルームの前縁部におけるラジエータグリル２の上縁部にもウェザストリップが設けられている。
【００２２】
図２は、図１のＡ−Ａ線における断面図である。図２に示すように、ウェザストリップ７は、ラジエータグリル２の上縁部である被取付部８に取り付けられる取付基部９と、該取付基部９から後方に向かうに従って上方に傾斜して延びるシール部１０とを有している。取付基部９は、例えばソリッドゴム等により構成され、また、シール部１０は、例えばスポンジゴム等により構成されている。
【００２３】
ウェザストリップ７の取付基部９は、固定用クリップ１１を介して被取付部８に取り付けられて固定されている。具体的に、ウェザストリップ７の取付基部９に固定用クリップ１１の係止部１２が係止され、被取付部８に設けられた取付孔１３に固定用クリップ１１の本体部１４が挿入されて取付孔１３の内壁と係合されている。これにより、ウェザストリップ７が被取付部８に取り付けられて固定されている。
【００２４】
次に、固定用クリップ１１の具体的な構成について図３及び図４を参照しながら説明する。図３は本実施形態に係る固定用クリップ１１を示す正面図であり、図４はその側面図である。
【００２５】
図３及び図４に示すように、固定用クリップ１１は、被取付部８に取り付けられる本体部１４と、ウェザストリップ７の取付基部９に係止される係止部１２と、本体部１４と係止部１２との間に設けられた鍔部１５とを有している。本体部１４は、取付孔１３に挿入される軸部１４ａと、軸部１４ａの先端部から基端側に向かって外方に広がる支持部１４ｂとを備えている。また、支持部１４ｂの先端部（鍔部１５側）には、段差部１４ｃが形成されている。取付孔１３に軸部１４ａが挿入される際に、支持部１４ｂは本体部１４の内側（軸部１４ａ側）に弾性変形し、挿入が完了すると、支持部１４ｂが取付孔１３の内壁に係合すると共に、段差部１４ｃと鍔部１５との間に取付孔１３の周縁部が狭持される。これにより、固定用クリップ１１が被取付部８に固定される。
【００２６】
鍔部１５は、軸部１４ａの基端部から鍔状に広がっており、その外形は錐台形状である。特に、本実施形態では、鍔部１５の外形は円錐台形状である。なお、本体部１４及び鍔部１５は、例えば樹脂材料等により形成され、それらは一体に形成されていてもよい。
【００２７】
鍔部１５の頂面には、ウェザストリップ７の取付基部９に取り付けられる係止部１２が設けられている。特に、係止部１２は、その基端部が鍔部１５の頂面の中央部と接続されていることが好ましい。取付基部９に固定用クリップ１１を取り付けた際に、固定用クリップ１１の安定性を高くできるからである。
【００２８】
係止部１２は、例えば金属からなり、本実施形態では径が０．７ｍｍ程度の鋼線材からなる。このような硬度が高く径が小さい材料を用いると、ウェザストリップ７に予め孔を開けなくとも、さらに挿入ピン等のクリップ１１以外の部材を追加しなくとも、係止部１２をウェザストリップ７の取付基部９に突き刺すことにより、孔開けと共に係止部１２の挿入が可能となる。さらに、係止部１２を比較的容易に成形することもできる。なお、本実施形態では、鋼線材を用いているが、金属以外の材料を用いてもよく、例えば硬質樹脂材等を用いても構わない。また、本実施形態のように係止部１２全体の径を小さくする他に、係止部１２をウェザストリップ７の取付基部９に突き刺すために、係止部１２の先端部を尖った形状にしてもよい。また、当然に、予め取付基部９に孔を開けておけば、係止部１２を上記のような構成にする必要が無く、係止部１２を例えば樹脂材からなる板状の部材としてもよい。また、係止部１２は、樹脂材等を材料として鍔部１５と一体形成されてもよい。この場合、係止部１２は、本体部１４及び鍔部１５と同一の材料により形成されてもよく、すなわち、クリップ１１の全体が１種の樹脂材料により一度に成形されてもよい。また、上記の通りに、係止部１２のみがクリップ１１の他の部位よりも硬質な材料によって成形されてもよい。
【００２９】
また、図４に示すように、係止部１２は、鍔部１５から軸部１４ａの軸方向と交差する方向（図４では右方向）に延びる第１延伸部１２ａを有する。本実施形態では、特に、係止部１２が鍔部１５との接続部位である基端部の近傍に９０°程度屈曲された部位を有し、その部位から第１延伸部１２ａが延びている。さらに、係止部１２は、第１延伸部１２ａから折り返されて反対方向（図４では左方向）に延びる第２延伸部１２ｂを有する。すなわち、係止部１２は、第１延伸部１２ａ、第２延伸部１２ｂ及びこれらの間の折り返し部により形成されたヘアピン形状の部位を有する。係止部１２は、ウェザストリップ７の取付基部９に係止された際、第１延伸部１２ａが取付基部９の裏側と係合し、鍔部１５と共に取付基部９を狭持する。これにより、取付基部９に固定用クリップ１１が取り付けられる。
【００３０】
本実施形態に係る固定用クリップ１１の係止部１２が上記のような形状であるため、係止部１２をウェザストリップ７の孔に挿入して係止させる際に、従来のクリップのような円弧運動を必要としない。
【００３１】
以下に、本実施形態に係る固定用クリップ１１の係止部１２をウェザストリップ７の取付基部９に係止させる方法について図５（ａ）〜（ｆ）を参照しながら説明する。
【００３２】
まず、図５（ａ）に示すように、固定用クリップ１１の係止部１２の先端部をウェザストリップ７の取付基部９に突き刺す。このとき、係止部１２（第２延伸部１２ｂ）の先端部と取付基部９の表面との角度が小さくなるように、すなわち固定用クリップ１１の傾きを小さくして突き刺すことが好ましい。なお、上述の通り、予めウェザストリップ７の取付基部９に孔を設けていてもよく、その場合、この工程は必要ない。
【００３３】
次に、図５（ｂ）に示すように、係止部１２の第２延伸部１２ｂが取付基部９の表面を貫通するように、突き刺した方向と同等の方向に（図５（ｂ）では左下方向）係止部１２を押し込む。
【００３４】
次に、図５（ｃ）に示すように、係止部１２をさらに押し込んで、係止部１２の第１延伸部１２ａと第２延伸部１２ｂとの間の折り返し部が取付基部９の孔にまで達したら押し込みを止める。このように第２延伸部１２ｂが取付基部９の孔を通過すると、第１延伸部１２ａが取付基部９にまで導かれることとなる。
【００３５】
次に、図５（ｄ）に示すように、これまでとは逆に図５（ｄ）の右下方向に係止部１２を押し込んで、第１延伸部１２ａを取付基部９の孔に挿入する。このとき、これまでと同様に、固定用クリップ１１を傾きを小さくして押し込むことが好ましい。その傾きが大きくなると、係止部１２の先端部がウェザストリップ７を内部から破るおそれが生じる。
【００３６】
次に、図５（ｅ）に示すように、図５（ｅ）の右下方向への係止部１２の押し込みを継続し、係止部１２の基端部が取付基部９の孔に達するまで押し込む。
【００３７】
以上のようにすることで、図５（ｆ）に示すように、第１延伸部１２ａがウェザストリップ７の取付基部９の裏側に係合して、係止部１２が取付基部９に係止される。また、このとき、第１延伸部１２ａが鍔部１５と共に取付基部９を挟み込むことにより、固定用クリップ１１は取付基部９に支持されて取り付けられる。
【００３８】
本実施形態では、第１延伸部１２ａのみが取付基部９の裏側に係合しているが、第２延伸部１２ｂも取付基部９に係合するように、例えば第２延伸部１２ｂの先端部が鍔部１５側に屈曲されていても構わない。但し、当然に第２延伸部１２ｂの挿入が困難とならない程度に屈曲していることが好ましい。また、このとき、第２延伸部１２ｂの長さは第１延伸部１２ａよりも長いことが好ましい。特に、係止部１２が取付基部９に係止される際の安定性の観点から、第２延伸部１２ｂは、第１延伸部１２ａの２倍程度の長さであることが好ましい。
【００３９】
本実施形態に係る固定用クリップは、従来のクリップのように、ウェザストリップの孔に係止部を挿入する際に９０°程度回動（円弧運動）させる必要が無く、ウェザストリップ７の取付基部９の表面に沿って往復運動させることにより固定用クリップ１１の係止部１２をウェザストリップ７の取付基部９に係止させることができる。言い換えると、第２延伸部１２ｂを取付基部９にその表面から貫通させて上記往復運動を行うことにより、第１延伸部１２ａが取付基部９を貫通して該取付基部９の裏面に係合するように導かれる。このようにして、固定用クリップ１１がウェザストリップ７の取付基部９に取り付けられる。
【００４０】
このように、固定用クリップ１１をウェザストリップ７の取付基部９に取り付けた後に、本体部１４を上述の通りに被取付部８の取付孔１３に挿入して係合させることにより、ウェザストリップ７を被取付部８に取り付けて固定することが可能となる。
【００４１】
以上の通り、本実施形態に係る固定用クリップによると、固定用クリップの係止部をウェザストリップ等の弾性部材の内側に挿入する際に、従来のようなクリップの円弧運動を必要としないため、容易に弾性部材に取り付けることができる。その結果、係止部を弾性部材に挿入するための装置の構造を比較的簡素にできるため、コストを低減することが可能となる。
【符号の説明】
【００４２】
１  エンジンフード
２  ラジエータグリル
３  バンパ
４  フロントドア
５  リヤドア
６  車体
７  ウェザストリップ（弾性部材）
８  被取付部
９  取付基部
１０  シール部
１１  固定用クリップ
１２  係止部
１２ａ  第１延伸部
１２ｂ  第２延伸部
１３  取付孔
１４  本体部
１４ａ  軸部
１４ｂ  支持部
１４ｃ  段差部
１５  鍔部
【図１】
2014095411.tif 000003
【図２】
2014095411.tif 000004
【図３】
2014095411.tif 000005
【図４】
2014095411.tif 000006
【図５】
2014095411.tif 000007
【図６】
2014095411.tif 000008